(57)【要約】【課題】  冷蔵庫に関する電気代などの情報を冷蔵庫から離れた場所から確認できることを提供する。【解決手段】  冷蔵庫は、冷蔵庫の所定の情報を蓄積する冷蔵庫情報蓄積手段１６と、１日を計数する日数計数手段１７と、少なくとも情報端末機３へ冷蔵庫情報蓄積手段１６の蓄積データの一部を含む蓄積データ部と前記日数計数手段で計数した日数データ部を含む冷蔵庫情報のデータを送信し、情報端末機３で取得したデータ情報を表示手段８で表示することで、使用者は冷蔵庫の近くまで足を運ぶ必要がなく冷蔵庫の情報を取得することができ、使用者に冷蔵庫を上手に使って頂くことを啓蒙し、節電対策等に役立てることが可能となり、さらに冷蔵庫は表示器が不要なため安価に実現できる。【選択図】  図２
2005076958.tif 000002
【特許請求の範囲】
【請求項１】
通信ネットワーク手段を介して接続された冷蔵庫と情報端末機で構成され、前記冷蔵庫は、冷蔵庫の所定の情報を蓄積する冷蔵庫情報蓄積手段と、１日を計数する日数計数手段と、少なくとも前記冷蔵庫情報蓄積手段の蓄積データの一部を含む蓄積データ部と前記日数計数手段で計数した日数データ部を含む冷蔵庫情報のデータを情報端末機へ通知するデータ通知手段を備え、前記情報端末機は、通信ネットワーク手段を介して取得したデータから冷蔵庫情報のデータを判別する取得データ判別手段と、取得したデータを最新データに更新する取得データ更新手段と、取得したデータ情報を表示する表示手段を備えた冷蔵庫システム。
【請求項２】
冷蔵庫情報蓄積手段は、今日の冷蔵庫情報蓄積データと昨日の冷蔵庫情報積算データを少なくとも蓄積することを特徴とした請求項１記載の冷蔵庫システム。
【請求項３】
情報端末機は、一定時間毎に指令を出力する定期タイマ検知手段と、前記定期タイマ検知手段から指令を入力すると通信ネットワーク手段を介して冷蔵庫にデータ取得要求を行うデータ取得手段を備えた請求項１〜２のいずれか１項に記載の冷蔵庫システム。
【請求項４】
情報端末機は、使用者が冷蔵庫に最新データを取得要求する操作手段と、前記操作手段より操作イベントを検知しデータ取得手段に指令を出力する操作検知手段と、通信ネットワーク手段を介して冷蔵庫にデータ取得要求を行うデータ取得手段を備えた請求項１〜３のいずれか１項に記載の冷蔵庫システム。
【請求項５】
前記取得データ更新手段は、取得したデータに関する冷蔵庫情報を表示するためのデータ保存バッファを備え、前回取得時と日数データ部を比較し、日数の変化がなければ、データ保存バッファで取得した蓄積データ部情報を更新することを特徴とした請求項１〜４のいずれか１項に記載の冷蔵庫システム。
【請求項６】
前記取得データ更新手段は、日数データ部を前回取得時と比較し、日数がＮ日（Ｎは１以上の整数）増えていた場合は、前回取得時のデータ保存バッファ内のデータをＮ日経過したデータとして扱い、さらに、取得した蓄積データ部情報を更新することを特徴とした請求項５記載の冷蔵庫システム。
【請求項７】
前記取得データ更新手段は、日数データ部を前回取得時と比較し、日数がＮ日（Ｎは１以上の整数）増えていた場合は、前回保存時のデータ保存バッファ内の今日に相当する蓄積データ部を無効とすることを特徴とした請求項６に記載の冷蔵庫システム。
【請求項８】
前記表示手段は、前記取得データ更新手段で更新したデータを今日／昨日単位で表示させることを特徴とした請求項１〜７のいずれか１項に記載の冷蔵庫システム。
【請求項９】
前記表示手段は、前記取得データ更新手段で更新したデータをＮ日（Ｎは１以上の整数）単位で表示させることを特徴とした請求項１〜８のいずれか１項に記載の冷蔵庫システム。
【請求項１０】
請求項１〜９のいずれか１項記載の冷蔵庫システムの機能の少なくとも一部をコンピュータに実現させるためのプログラム。
【発明の詳細な説明】
【技術分野】
【０００１】
本発明は冷蔵庫に関する電気代などの情報を宅内の冷蔵庫から離れた場所から確認できることを提供する冷蔵庫システムに関するものである。
【背景技術】
【０００２】
従来、この種の冷蔵庫システムとしては、冷蔵庫に表示部を設け、表示部に電気料金の目安等の情報を表示することで使用者に情報提供を行っている（例えば、特許文献１参照）。
【０００３】
図５は、特許文献１に記載された従来の冷蔵庫に適用したブロック構成図を示すものである。図５に示すように、電力量計測表示回路１０に、計量部７及び制御部８の他に電力量等の表示専用のＬＣＤ表示部１１を具備させたものであり、積算電力量または積算電気料金の数値を表示する表示部を備えた回路構成が簡単で小型化しやすい電力量計測表示部を家庭用電化製品に組み込むだけで、電化製品自体のコストアップ及び大型化を抑えつつ、電化製品個々の消費電力量に対応する電気料金の目安を任意に知ることができ、それに基づいて家庭経済を考慮した節電対策などを用意に促進することができる。
【特許文献１】特開２００１−４６６５号公報
【発明の開示】
【発明が解決しようとする課題】
【０００４】
しかしながら、前記従来の構成では、使用者は冷蔵庫の近くまで行かないと冷蔵庫から提供される情報を確認することができなかった。また、冷蔵庫に表示部を備えるため表示器を必要としコストを要するという課題を有していた。
【０００５】
本発明は、前記従来の課題を解決するもので、宅内で冷蔵庫から離れた場所からでも冷蔵庫の情報を知ることができる冷蔵庫システムを提供することを目的とする。
【課題を解決するための手段】
【０００６】
前記従来の課題を解決するために、本発明の冷蔵庫システムは、通信ネットワーク手段を介して接続された冷蔵庫と情報端末機で構成され、冷蔵庫は、冷蔵庫の所定の情報を蓄積する冷蔵庫情報蓄積手段と、１日を計数する日数計数手段と、少なくとも情報端末機へ前記冷蔵庫情報蓄積手段の蓄積データの一部を含む蓄積データ部と前記日数計数手段で計数した日数データ部を含む冷蔵庫情報のデータを通知するデータ通知手段を備え、情報端末機は、通信ネットワーク手段を介して取得したデータから冷蔵庫情報のデータを判別する取得データ判別手段と、取得したデータを最新データに更新する取得データ更新手段と、取得したデータ情報を表示する表示手段を備えたものである。
【０００７】
これによって、冷蔵庫から離れた場所からでも冷蔵庫の情報を知ることができ、冷蔵庫は表示器が不要なため安価に実現でき、さらに、冷蔵庫内の情報を提供することで、使用者は冷蔵庫を上手に活用するよう改善し、節電対策等に役立てることが可能となる。
【発明の効果】
【０００８】
本発明の冷蔵庫システムは、情報端末機に冷蔵庫の情報を提供することで、使用者は冷蔵庫の近くまで足を運ぶ必要がなく冷蔵庫の情報を取得することができ、使用者に冷蔵庫を上手に使って頂くことを啓蒙し、節電対策等に役立てることが可能となり、さらに冷蔵庫は表示器が不要なため安価に実現できる。
【発明を実施するための最良の形態】
【０００９】
第１の発明は、通信ネットワーク手段を介して接続された冷蔵庫と情報端末機で構成され、冷蔵庫は、冷蔵庫の所定の情報を蓄積する冷蔵庫情報蓄積手段と、１日を計数する日数計数手段と、少なくとも情報端末機へ前記冷蔵庫情報蓄積手段の蓄積データの一部を含む蓄積データ部と前記日数計数手段で計数した日数データ部を含む冷蔵庫情報のデータを通知するデータ通知手段を備え、情報端末機は、通信ネットワーク手段を介して取得したデータから冷蔵庫情報のデータを判別する取得データ判別手段と、取得したデータを最新データに更新する取得データ更新手段と、取得したデータ情報を表示する表示手段を備えることにより、冷蔵庫から離れた場所からでも冷蔵庫の情報を知ることができるようになり、冷蔵庫は表示器が不要なため安価に実現でき、さらに、冷蔵庫内の情報を提供することで、使用者に冷蔵庫を上手に使って頂くことを啓蒙し、節電対策等に役立てることが可能となる。
【００１０】
第２の発明は、特に、第１の発明の冷蔵庫システムにおいて、冷蔵庫情報蓄積手段は、今日の冷蔵庫情報蓄積データと昨日の冷蔵庫情報積算データを蓄積することを特徴としたことにより、冷蔵庫は今日と昨日だけの情報を蓄積することになり、冷蔵庫は情報蓄積容量を小さくすることができる。
【００１１】
第３の発明は、特に、第１〜２のいずれか１つの発明の冷蔵庫システムにおいて、情報端末機は、一定時間毎に指令を出力する定期タイマ検知手段と、前記定期タイマ検知手段から指令を入力すると通信ネットワーク手段を介して冷蔵庫にデータ取得要求を行うデータ取得手段を備えることにより、一定時間毎に情報端末機上の冷蔵庫に関する情報が自動的に更新されるため、使用者は冷蔵庫に関する新しい情報を確認することができる。
【００１２】
第４の発明は、特に、第１〜３のいずれか１つの発明の冷蔵庫システムにおいて、情報端末機は、使用者が冷蔵庫に最新データを取得要求する操作手段と、前記操作手段より操作イベントを検知し、前記データ取得手段に指令を出力する操作検知手段を備えることにより、使用者は情報端末機上で最新の冷蔵庫に関する情報取得要求操作をすることで、冷蔵庫に関する最新の情報を確認することができる。
【００１３】
第５の発明は、特に、第１〜４のいずれか１つの発明の冷蔵庫システムにおいて、前記取得データ更新手段は、取得したデータに関する冷蔵庫情報を表示するためのデータ保存バッファを備え、前回取得時と日数データ部を比較し、日数の変化がなければ、データ保存バッファで取得した蓄積データ部情報を更新することを特徴とすることにより、冷蔵庫に関する情報を正しく更新し、使用者へ正確な情報を提供することができる。
【００１４】
第６の発明は、特に、第５の発明の冷蔵庫システムにおいて、前記取得データ更新手段は、前回取得時と日数データ部を比較し、日数がＮ日（Ｎは１以上の整数）増えていた場合は、前回取得時のデータ保存バッファ内のデータをＮ日経過したデータとして扱い、さらに、取得した蓄積データ部情報を更新することを特徴としたことにより、日数が経過した場合でも冷蔵庫に関する情報を正しく更新することで、使用者へ正確な情報を提供することができる。
【００１５】
第７の発明は、特に、第６の発明の冷蔵庫システムにおいて、前記取得データ更新手段は、前回取得時と日数データ部を比較し、日数がＮ日（Ｎは１以上の整数）増えていた場合は、前回保存時のデータ保存バッファ内の今日に相当する蓄積データ部を無効とすることを特徴としたことにより、情報端末機が２日以上電源ＯＦＦしていた場合でも冷蔵庫に関する情報正しく更新することで、使用者へ誤った情報提供することを防止することができる。
【００１６】
第８の発明は、特に、第１〜７のいずれか１つの発明の冷蔵庫システムにおいて、前記表示手段は、前記取得データ更新手段で更新したデータを今日／昨日単位で表示させることを特徴としたことにより、使用者へ今日と昨日の冷蔵庫に関する情報提供をすることができ、使用者は、今日と昨日の冷蔵庫に関する情報を比較して冷蔵庫を上手に活用するよう改善し、節電対策等に役立てることが可能となる。
【００１７】
第９の発明は、特に、第１〜８のいずれか１つの発明の冷蔵庫システムにおいて、前記表示手段は、前記取得データ更新手段で更新したＮ日（Ｎは１以上の整数）のデータを１日単位で表示させることを特徴としたことにより、使用者へＮ日の毎日の冷蔵庫に関する情報提供をすることができ、使用者が記憶に残りやすい時間単位で毎日の情報を確認し、冷蔵庫を上手に活用するよう改善し、節電対策等に役立てることが可能となる。
【００１８】
第１０の発明は、第１〜９のいずれか１つの発明の冷蔵庫システムの機能の少なくとも一部をコンピュータに実現させるためのプログラム。そして、プログラムであるので汎用コンピュータやマイコンを用いて本発明の冷蔵庫システムの少なくとも一部を容易に実現することができる。また記録媒体に記録したり通信回線を用いてプログラムを配信したりすることでプログラムの配布やインストール作業が簡単にできる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における冷蔵庫システムのシステム構成図、図２は本発明の第１の実施の形態における冷蔵庫システムのブロック図を示すものである。
【００２１】
図１において、第一の通信ネットワーク手段１として具体的には同一宅内の冷蔵庫２と情報端末機３とは無線を媒体として利用する構成で、冷蔵庫２と情報端末機３それぞれに無線通信ユニット４、５を設けている。また、第二の通信ネットワーク手段６として情報端末機３と宅外の遠隔地のサーバ７とは経路にインターネットや公衆回線網を利用している。また、表示手段８の表示画面は液晶ディスプレイパネル９で、入力手段１０の入力デバイスは液晶ディスプレイパネル９に重ねて設けられたタッチパネル１１である。使用者は画面の表示内容に対して触れることにより、所望の動作をさせることができる。
【００２２】
以上のように構成された冷蔵庫システムのシステム構成について、図２、図３および図４を用いて説明する。
【００２３】
図２において、冷蔵庫２には、時刻を計時する時刻計時手段１３、電気代を積算する電気代積算手段１４、時刻計時手段１３で計時する時刻が午前０時になると電気代積算手段１４で積算された値を昨日の積算値として確定し、積算値をクリアし今日の積算を継続し、蓄積する冷蔵庫情報蓄積手段１６、午前０時を基点に日数を計数する日数計時手段１７、情報端末機３へ冷蔵庫情報蓄積手段１６で蓄積した蓄積データ部と日数計数手段１７で計数した日数データ部を含む冷蔵庫情報のデータを通知するデータ通知手段１８で構成される。
【００２４】
冷蔵庫情報蓄積手段１６で蓄積されたデータは情報端末機３の液晶ディスプレイパネル９上に図３（ａ）に示すような「今日と昨日の電気代」表示画面や図３（ｂ）に示すような「最近１週間の電気代」表示画面として、使用者に冷蔵庫の情報提供を行うことができる。また、図示しないがこのほかに冷蔵庫のドア開閉回数や冷蔵庫に搭載された製氷装置の製氷回数や冷蔵庫に搭載されたコンプレッサの運転時間などの情報提供を行っても良い。
【００２５】
情報端末機３には、情報端末機３の時刻を計時する時刻計時手段１３ａと冷蔵庫の時刻を計時する時刻計時手段１３ｂがあり、時刻はサーバ７と定期的（本実施の形態では１日１回）に通信を行うことでサーバ７から正確な時刻が設定される。なお、サーバは極めて精度の良い時刻を刻むものとする。
【００２６】
また、情報端末機３には、通信ネットワーク手段を介して取得したデータから冷蔵庫情報のデータを判別する取得データ判別手段１９、取得したデータを最新データに更新する取得データ更新手段２０、一定時間毎に指令を出力する定期タイマ検知手段２２（本実施の形態では一定時間は１時間）、定期タイマ検知手段２２から指令を入力すると通信ネットワーク手段１を介して冷蔵庫にデータ取得要求を行いデータ取得するデータ取得手段２３、表示手段８で更新ボタンを表示し、更新ボタンをタッチすると使用者が冷蔵庫の最新情報を確認できるようにするための操作手段２４、操作手段２４より操作イベントを検知すると、冷蔵庫にデータ取得手段２３にデータ取得要求指令を出力する操作検知手段２５、使用者が表示する冷蔵庫情報の「今日／昨日」または「一週間」（あるいは１０日間や一ヶ月などＮ日単位で変更できる）を切り替えて表示できる表示内容を選択できるようにした表示選択手段２６により構成される。
【００２７】
表示選択手段２６で選択できる画面は情報端末機３の液晶ディスプレイパネル９上に図３（ａ）に示すような「今日と昨日の電気代表示」画面、または図３（ｂ）に示すような「一週間の電気代表示」画面を選択して、使用者は冷蔵庫の情報を確認することができる。
【００２８】
以上のように構成された冷蔵庫システムについて、以下その動作、作用を説明する。
【００２９】
図４は本発明の第１の実施の形態における冷蔵庫システムの動作を説明するためのフロー図である。
【００３０】
図４において、使用者が冷蔵庫情報の最新情報を確認するため表示手段８で表示された更新ボタンを押下した場合、もしくは１時間毎の定期タイマ検知手段２２より指令が出力された場合（５１）、情報端末機３は冷蔵庫に電気代情報の取得要求を行う（５２）。冷蔵庫２は、情報端末機に昨日の電気代Ｄｙと今日の電気代Ｄｔと日数計数手段１７で計数された日数ＣＮＴで構成される４ｂｙｔｅデータを送信する（５３）。
【００３１】
なお、実際には（５３）の電文は、４ｂｙｔｅデータ以外にも電気代情報を判別する識別ヘッダ等のオーバーヘッダが付加され、取得データ判別手段１９で取得電文が判別され、電気代情報の有効なデータ部を抽出する。
【００３２】
以下、取得データ更新手段２０の動作となる。
【００３３】
情報端末機３は電気代表示するためのデータ保存バッファ２７として７ｂｙｔｅあり、今日＝Ｄ１、１日前＝Ｄ２、２日前＝Ｄ３、３日前＝Ｄ４、４日前＝Ｄ５、５日前＝Ｄ６、６日前＝Ｄ７の順番に構成される。
【００３４】
前回取得した時の日数をＣＮＴ０とするとＣＮＴ＝ＣＮＴ０であれば（５４）、今日の日付は同じであると判断し、（５３）で取得した今日の電気代ＤｔをＤ１に、昨日の電気代ＤｙをＤ２に各々、上書き保存する（５５）。
【００３５】
ＣＮＴがＣＮＴ０より１増加していれば（５６）、日数が１日経過したと判断し、まずは、情報端末機３に保存している電気代情報Ｄ１〜Ｄ７を古い情報の方に１ｂｙｔｅ分ＦＩＦＯ保存する（ＦＩＦＯは「Ｆｉｒｓｔ  ｉｎ  Ｆｉｒｓｔ  Ｏｕｔ」のことであり、バッファに新しい情報を追加する場合、古い情報から追い出していくバッファ管理手法である）。その後、（５３）で取得した今日の電気代ＤｔをＤ１に、昨日の電気代ＤｙをＤ２に各々、上書き保存する（５５）。
【００３６】
ＣＮＴがＣＮＴ０より２以上増加していれば（５８）、例えば情報端末機３が電源をＯＦＦにしていた場合等で前回取得してから２日以上経過したと判断する。例えば、ＣＮＴ−ＣＮＴ０＝３の場合、まずは、電気代情報Ｄ１に保存されていた前回取得時の今日の電気代情報は１日間分ではないため不要なので削除する。続いて、情報端末機３に保存している電気代情報Ｄ１〜Ｄ７を古い情報の方に３ｂｙｔｅ分ＦＩＦＯ保存する。その後、（５３）で取得した今日の電気代ＤｔをＤ１に、昨日の電気代ＤｙをＤ２に各々、上書き保存する（５９）。
【００３７】
使用者は表示選択手段２６で、図３（ａ）に示す「今日／昨日」の電気代表示画面を確認する場合、電気代表示するためのデータ保存バッファ２７内のＤ１、Ｄ２の情報を表示し、図３（ｂ）に示す「一週間」の電気代表示画面を確認する場合、データ保存バッファ内のＤ１〜Ｄ７までの情報を表示する。
【００３８】
以上のように、本実施の形態においては、通信ネットワーク手段を介して接続された冷蔵庫と情報端末機で構成され、情報端末機と冷蔵庫は、各々、時刻を計時する時刻計時手段を備え、冷蔵庫は、冷蔵庫の所定の情報を蓄積する冷蔵庫情報蓄積手段と、１日を計数する日数計数手段と、少なくとも情報端末機へ前記冷蔵庫情報蓄積手段の蓄積データの一部を含む蓄積データ部と前記日数計数手段で計数した日数データ部を含む冷蔵庫情報のデータを通知するデータ通知手段を備え、情報端末機は、通信ネットワーク手段を介して取得したデータから冷蔵庫情報のデータを判別する取得データ判別手段と、取得したデータを最新データに更新する取得データ更新手段と、取得したデータ情報を表示する表示手段を備えることにより、冷蔵庫から離れた場所からでも冷蔵庫の情報を知ることができるようになり、冷蔵庫は表示器が不要なため安価に実現でき、さらに、冷蔵庫内の情報を提供することで、使用者に冷蔵庫を上手に使って頂くことを啓蒙し、節電対策等に役立てることが可能となる。
【００３９】
さらに、冷蔵庫情報蓄積手段は、今日の冷蔵庫情報蓄積データと昨日の冷蔵庫情報積算データを蓄積することを特徴としたことにより、冷蔵庫は今日と昨日だけの情報を蓄積することになり、冷蔵庫は情報蓄積容量を小さくすることができる。
【００４０】
さらに、冷蔵庫情報蓄積手段は、今日の冷蔵庫情報蓄積データと昨日の冷蔵庫情報積算データを蓄積することを特徴としたことにより、冷蔵庫は今日と昨日だけの情報を蓄積することになり、冷蔵庫は情報蓄積容量を小さくすることができる。
【００４１】
さらに、日数計数手段は、０時を基準として計数することを特徴としたことにより、カレンダーの日付と整合した日数を計数することになり、使用者の生活の１日と整合した単位での冷蔵庫の情報を提供することが可能となる。
【００４２】
さらに、情報端末機は、一定時間毎に指令を出力する定期タイマ検知手段と、前記定期タイマ検知手段から指令を入力すると通信ネットワーク手段を介して冷蔵庫にデータ取得要求を行うデータ取得手段を備えることにより、一定時間毎に情報端末機上の冷蔵庫に関する情報が自動的に更新されるため、使用者は冷蔵庫に関する新しい情報を確認することができる。
【００４３】
さらに、情報端末機は、使用者が冷蔵庫に最新データを取得要求する操作手段と、前記操作手段より操作イベントを検知し、前記データ取得手段に指令を出力する操作検知手段を備えることにより、使用者は情報端末機上で最新の冷蔵庫に関する情報取得要求操作をすることで、冷蔵庫に関する最新の情報を確認することができる。
【００４４】
さらに、前記取得データ更新手段は、取得したデータに関する冷蔵庫情報を表示するためのデータ保存バッファを備え、前回取得時と日数データ部を比較し、日数の変化がなければ、データ保存バッファで取得した蓄積データ部情報を更新することを特徴とすることにより、冷蔵庫に関する情報を正しく更新し、使用者へ正確な情報を提供することができる。
【００４５】
さらに、前記取得データ更新手段は、前回取得時と日数データ部を比較し、日数がＮ日（Ｎは１以上の整数）増えていた場合は、前回取得時のデータ保存バッファ内のデータをＮ日経過したデータとして扱い、さらに、取得した蓄積データ部情報を更新することを特徴としたことにより、日数が経過した場合でも冷蔵庫に関する情報を正しく更新することで、使用者へ正確な情報を提供することができる。
【００４６】
さらに、前記取得データ更新手段は、前回取得時と日数データ部を比較し、日数がＮ日（Ｎは１以上の整数）増えていた場合は、前回保存時のデータ保存バッファ内の今日に相当する蓄積データ部を無効とすることを特徴としたことにより、情報端末機が２日以上電源ＯＦＦしていた場合でも冷蔵庫に関する情報正しく更新することで、使用者へ誤った情報提供することを防止することができる。
【００４７】
さらに、前記表示手段は、前記取得データ更新手段で更新したデータを今日／昨日単位で表示させることを特徴としたことにより、使用者へ今日と昨日の冷蔵庫に関する情報提供をすることができ、使用者は、今日と昨日の冷蔵庫に関する情報を比較して冷蔵庫を上手に活用するよう改善し、節電対策等に役立てることが可能となる。
【００４８】
さらに、前記表示手段は、前記取得データ更新手段で更新した最近１週間のデータを１日単位で表示させることを特徴としたことにより、使用者へ最近１週間の毎日の冷蔵庫に関する情報提供をすることができ、使用者が記憶に残りやすい最近１週間の毎日の情報を確認し、冷蔵庫を上手に活用するよう改善し、節電対策等に役立てることが可能となる。
【００４９】
さらに、前記取得データ更新手段より表示させる内容を選択できる表示選択手段と、表示手段は、表示選択手段より選択された内容を表示させることを特徴としたことにより、使用者は冷蔵庫に関する知りたい情報を選択できるため、使用者は自らの意思で知りたい冷蔵庫に関する情報を確認し、冷蔵庫を上手に活用するよう改善し、節電対策等に役立てることが可能となる。
【００５０】
さらに、情報端末機または、冷蔵庫の少なくとも一部をコンピュータに実現させるためのプログラム。そして、プログラムであるので汎用コンピュータやマイコンを用いて本発明の冷蔵庫システムの少なくとも一部を容易に実現することができる。また記録媒体に記録したり通信回線を用いてプログラムを配信したりすることでプログラムの配布やインストール作業が簡単にできる。
【００５１】
また、本実施の形態では、情報端末機は、定期タイマ検知手段２２による一定時間毎の冷蔵庫の電気代情報を取得することができるため、一定時間毎に取得したデータを情報端末機上で記憶しておくと、「今日／昨日」の電気代表示方法として時系列的に今日と昨日の比較ができる図３（ｃ）に示す画面表示を提供することも可能となる。
【００５２】
また、本実施の形態では、冷蔵庫の情報として電気代の積算情報を使用者に提供したが、このほかに冷蔵庫のドア開閉積算情報や冷蔵庫に搭載された製氷装置の製氷回数や冷蔵庫に搭載されたコンプレッサの運転時間などの「今日／昨日」や「一週間」の情報提供を行うことも同様の方法で可能である。また、表示方法は「今日／昨日」と「一週間」にしたが、情報端末機３で電気代表示するためのデータ保存バッファの容量を変更すれば、「一ヶ月」や「一年」等、自由度の高い時間単位で冷蔵庫に関する情報提供を行うことが可能となる。
【００５３】
また、本実施の形態では、第一の通信ネットワーク手段１として無線を媒体として利用する構成としたが、電線や電源ラインにデータを重畳させる電灯線通信など有線であっても構わない。
【産業上の利用可能性】
【００５４】
以上のように、本発明にかかる冷蔵庫システムは、冷蔵庫に限らず他の家電機器についても、情報端末機に家電機器の情報を提供することで、使用者は家電機器の近くまで足を運ぶ必要がなく家電機器の情報を取得することができ、使用者に家電機器を上手に使って頂くことを啓蒙し、節電対策等に役立てることが可能となり、さらに家電機器は表示器が不要なため安価に実現することが、同様の方法で適用できる。
【図面の簡単な説明】
【００５５】
【図１】本発明の第１の実施の形態における冷蔵庫システムのシステム構成図
【図２】本発明の第１の実施の形態における冷蔵庫システムのブロック図
【図３】（ａ）本発明の第１の実施の形態における冷蔵庫システムの冷蔵庫情報（今日と昨日の電気代）を提供する情報端末機の表示画面例を示す図  （ｂ）本発明の第１の実施の形態における冷蔵庫システムの冷蔵庫情報（最近１週間の電気代）を提供する情報端末機の表示画面例を示す図  （ｃ）本発明の第１の実施の形態における冷蔵庫システムの冷蔵庫情報（今日と昨日の時系列の電気代）を提供する情報端末機の表示画面例を示す図
【図４】本発明の第１の実施の形態における冷蔵庫システムの動作を説明するためのフロー図
【図５】従来の冷蔵庫に適用したブロック構成図
【符号の説明】
【００５６】
１  通信ネットワーク手段
２  冷蔵庫
３  情報端末機
８  表示手段
１３ａ  時刻計時手段
１３ｂ  時刻計時手段
１６  冷蔵庫情報蓄積手段
１７  日数計数手段
１８  データ通知手段
１９  取得データ判別手段
２０  取得データ更新手段
２２  定期タイマ検知手段
２３  データ取得手段
２４  操作手段
２５  操作検知手段
２６  表示選択手段
２７  データ保存バッファ
【図１】
2005076958.tif 000003
【図２】
2005076958.tif 000004
【図３】
2005076958.tif 000005
【図４】
2005076958.tif 000006
【図５】
2005076958.tif 000007